(57)【要約】【課題】空調空間に複数の空調機器が配置されている場合に、どの空調機器を使用するのが最も省エネ性が高いのかユーザが容易に把握できない。【解決手段】この表示システム（予想光熱費表示システム）は、空調機器の予定運転時間及び運転範囲の少なくとも一方に基づいて、空調空間に配置される複数の空調機器のそれぞれ又はその組合せについての予想光熱費を算出する。そして、算出された複数の予想光熱費のうち最も低い予想光熱費と、その予想光熱費に対応した空調機器とを表示画面１０に表示する。【選択図】図７
2015014384.tif 000002
【特許請求の範囲】
【請求項１】
空調空間に配置された複数の空調機器を記憶する空調機器記憶手段と、
空調機器の予定運転時間及び運転範囲の少なくとも一方を記憶する運転情報記憶手段と、
前記運転情報記憶手段に記憶された空調機器の予定運転時間及び運転範囲の少なくとも一方に基づいて、前記空調機器記憶手段に記憶された複数の空調機器のそれぞれ又はその組合せについての予想光熱費を算出する第１予想光熱費算出手段と、
前記第１予想光熱費算出手段で算出された複数の予想光熱費のうち最も低い予想光熱費と、その予想光熱費に対応した空調機器とを表示画面に表示する表示手段とを備えることを特徴とする予想光熱費表示システム。
【請求項２】
前記運転情報記憶手段は、空調機器の予定運転時間を記憶しており、
前記運転情報記憶手段に記憶された予定運転時間の開始の所定時間に基づいて、前記空調機器記憶手段に記憶された複数の空調機器のそれぞれ又はその組合せについての前記所定時間における予想光熱費を算出する第２予想光熱費算出手段を備え、
前記表示手段は、
前記第１予想光熱費算出手段で算出された複数の予想光熱費のうち最も低い予想光熱費及びその予想光熱費に対応した空調機器と、前記第２予想光熱費算出手段で算出された複数の予想光熱費のうち最も低い予想光熱費及びその予想光熱費に対応した空調機器とを前記表示画面に表示することを特徴とする請求項１に記載の予想光熱費表示システム。
【請求項３】
前記表示手段は、
前記第１予想光熱費算出手段で算出された複数の予想光熱費と、その複数の予想光熱費にそれぞれ対応した空調機器とを前記表示画面に表示することを特徴とする請求項１または２に記載の予想光熱費表示システム。
【請求項４】
前記表示手段は、
前記第１予想光熱費算出手段で算出された予想光熱費が低い順に予想光熱費とその予想光熱費に対応した空調機器とを前記表示画面に表示することを特徴とする請求項３に記載の予想光熱費表示システム。
【請求項５】
空調機器の予想光熱費を表示する予想光熱費表示プログラムであって、
コンピュータを、
空調機器の予定運転時間及び運転範囲の少なくとも一方に基づいて、複数の空調機器のそれぞれ又はその組合せについての予想光熱費を算出する第１予想光熱費算出手段と、
前記第１予想光熱費算出手段で算出された予想光熱費のうち最も低い予想光熱費と、その予想光熱費に対応した空調機器とについての情報を端末装置に供給する情報供給手段として機能させることを特徴とする予想光熱費表示プログラム。
【請求項６】
空調空間に配置された複数の空調機器を記憶する空調機器記憶手段と、
空調機器の予定運転時間及び運転範囲の少なくとも一方を記憶する運転情報記憶手段と、
前記運転情報記憶手段に記憶された空調機器の予定運転時間及び運転範囲の少なくとも一方に基づいて、前記空調機器記憶手段に記憶された複数の空調機器のそれぞれ又はその組合せについての快適度を算出する第１快適度算出手段と、
前記第１快適度算出手段で算出された複数の快適度のうち最も高い快適度と、その快適度に対応した空調機器とを表示画面に表示する表示手段とを備えることを特徴とする快適度表示システム。
【請求項７】
前記運転情報記憶手段は、空調機器の予定運転時間を記憶しており、
前記運転情報記憶手段に記憶された予定運転時間の開始の所定時間に基づいて、前記空調機器記憶手段に記憶された複数の空調機器のそれぞれ又はその組合せについての前記所定時間における快適度を算出する第２快適度算出手段を備え、
前記表示手段は、
前記第１快適度算出手段で算出された複数の快適度のうち最も高い快適度及びその快適度に対応した空調機器と、前記第２快適度算出手段で算出された複数の快適度のうち最も高い快適度及びその快適度に対応した空調機器とを前記表示画面に表示することを特徴とする請求項６に記載の快適度表示システム。
【請求項８】
前記表示手段は、
前記第１快適度算出手段で算出された複数の快適度と、その複数の快適度にそれぞれ対応した空調機器とを前記表示画面に表示することを特徴とする請求項６または７に記載の快適度表示システム。
【請求項９】
前記表示手段は、
前記第１快適度算出手段で算出された快適度が高い順に快適度とその快適度に対応した空調機器とを前記表示画面に表示することを特徴とする請求項８に記載の快適度表示システム。
【請求項１０】
空調機器の快適度を表示する快適度表示プログラムであって、
コンピュータを、
空調機器の予定運転時間及び運転範囲の少なくとも一方に基づいて、複数の空調機器のそれぞれ又はその組合せについての快適度を算出する第１快適度算出手段と、
前記第１快適度算出手段で算出された快適度のうち最も高い快適度と、その快適度に対応した空調機器とについての情報を端末装置に供給する情報供給手段として機能させることを特徴とする快適度表示プログラム。
【発明の詳細な説明】
【技術分野】
【０００１】
本発明は、空調機器の予想光熱費を表示する予想光熱費表示システム及び予想光熱費表示プログラム、並びに空調機器の快適度を表示する快適度表示システム及び快適度表示プログラムに関する。
【背景技術】
【０００２】
従来の空気調和機には、予想消費電力と電力料金単価とから予想電気代（予想光熱費）を算出し、算出した予想電気代をリモコンの表示画面に表示するものがある。
【先行技術文献】
【特許文献】
【０００３】
【特許文献１】特開２０１０−１７５１０２号公報
【発明の概要】
【発明が解決しようとする課題】
【０００４】
昨今の省エネ志向の高まりから、空調空間に複数の空調機器（例えば、暖房機器を例にとると、空気調和機、ファンヒータ、電気ストーブ、ホットカーペット、コタツ等）が配置される場合において、どの空調機器を使用するのが最も省エネ性が高いのかをユーザが把握したいというニーズがある。しかしながら、従来の空調機器では、各空調機器の仕様書などに消費電力の目安が記載されていたり、上記の空気調和機のように予想光熱費が表示されるものがあるが、どの空調機器を使用するのが最も省エネ性が高いのかを把握するためには、ユーザが各空調機器の消費電力の目安や予想光熱費を記憶してユーザ自ら省エネ性の比較を行わなければならない。そのため、どの空調機器を使用するのが最も省エネ性が高いのかをユーザが容易に把握できない問題がある。
【０００５】
また、空調空間に複数の空調機器が配置される場合において、どの空調機器を使用するのが最も快適度が高いのかをユーザが把握したいというニーズがある。しかしながら、従来の空調機器では、各空調機器の快適度を比較できないため、どの空調機器を使用するのが最も快適度が高いのかをユーザが容易に把握できない問題がある。
【０００６】
そこで、本発明の目的は、最も省エネ性が高い空調機器を容易に把握できる予想光熱費表示システム及び予想光熱費表示プログラムを提供することである。
【０００７】
また、本発明の目的は、最も快適度が高い空調機器を容易に把握できる快適度表示システム及び快適度表示プログラムを提供することである。
【課題を解決するための手段】
【０００８】
第１の発明にかかる予想光熱費表示システムは、空調空間に配置された複数の空調機器を記憶する空調機器記憶手段と、空調機器の予定運転時間及び運転範囲の少なくとも一方を記憶する運転情報記憶手段と、前記運転情報記憶手段に記憶された空調機器の予定運転時間及び運転範囲の少なくとも一方に基づいて、前記空調機器記憶手段に記憶された複数の空調機器のそれぞれ又はその組合せについての予想光熱費を算出する第１予想光熱費算出手段と、前記第１予想光熱費算出手段で算出された複数の予想光熱費のうち最も低い予想光熱費と、その予想光熱費に対応した空調機器とを表示画面に表示する表示手段とを備えることを特徴とする。
【０００９】
第５の発明にかかる予想光熱費表示プログラムは、空調機器の予想光熱費を表示する予想光熱費表示プログラムであって、コンピュータを、空調機器の予定運転時間及び運転範囲の少なくとも一方に基づいて、複数の空調機器のそれぞれ又はその組合せについての予想光熱費を算出する第１予想光熱費算出手段と、前記第１予想光熱費算出手段で算出された予想光熱費のうち最も低い予想光熱費と、その予想光熱費に対応した空調機器とについての情報を端末装置に供給する情報供給手段として機能させることを特徴とする。
【００１０】
この予想光熱費表示システム及び予想光熱費表示プログラムでは、空調機器の予定運転時間及び運転範囲の少なくとも一方に基づいて、複数の空調機器のそれぞれ又はその組合せについての予想光熱費が算出されるとともに、算出された複数の予想光熱費のうち最も低い予想光熱費とその予想光熱費に対応した空調機器とが表示画面に表示されるので、最も省エネ性が高い空調機器をユーザが容易に把握できる。
【００１１】
第２の発明にかかる予想光熱費表示システムは、第１の発明にかかる予想光熱費表示システムにおいて、前記運転情報記憶手段は、空調機器の予定運転時間を記憶しており、前記運転情報記憶手段に記憶された予定運転時間の開始の所定時間に基づいて、前記空調機器記憶手段に記憶された複数の空調機器のそれぞれ又はその組合せについての前記所定時間における予想光熱費を算出する第２予想光熱費算出手段を備え、前記表示手段は、前記第１予想光熱費算出手段で算出された複数の予想光熱費のうち最も低い予想光熱費及びその予想光熱費に対応した空調機器と、前記第２予想光熱費算出手段で算出された複数の予想光熱費のうち最も低い予想光熱費及びその予想光熱費に対応した空調機器とを前記表示画面に表示することを特徴とする。
【００１２】
この予想光熱費表示システムでは、空調機器の予定運転時間及び運転範囲の少なくとも一方に基づいて算出された複数の予想光熱費のうち最も低い予想光熱費及びその予想光熱費に対応した空調機器と、予定運転時間の開始の所定時間に基づいて算出された複数の予想光熱費のうち最も低い予想光熱費及びその予想光熱費に対応した空調機器とが表示画面に表示されるので、予定運転時間の開始の所定時間において、複数の空調機器を併用して運転する場合に、最も省エネ性が高い空調機器をユーザが容易に把握できる。
【００１３】
第３の発明にかかる予想光熱費表示システムは、第１または第２の発明にかかる予想光熱費表示システムにおいて、前記表示手段は、前記第１予想光熱費算出手段で算出された複数の予想光熱費と、その複数の予想光熱費にそれぞれ対応した空調機器とを前記表示画面に表示することを特徴とする。
【００１４】
この予想光熱費表示システムでは、算出された複数の予想光熱費とその複数の予想光熱費にそれぞれ対応した空調機器とが表示されるので、複数の空調機器のそれぞれ又はその組合せについての予想光熱費を把握できる。
【００１５】
第４の発明にかかる予想光熱費表示システムは、第３の発明にかかる予想光熱費表示システムにおいて、前記表示手段は、前記第１予想光熱費算出手段で算出された予想光熱費が低い順に予想光熱費とその予想光熱費に対応した空調機器とを前記表示画面に表示することを特徴とする。
【００１６】
この予想光熱費表示システムでは、予想光熱費が低い順に予想光熱費とその予想光熱費に対応した空調機器とが表示されるので、予想光熱費が低い空調機器をユーザが把握しやすい。
【００１７】
第６の発明にかかる快適度表示システムでは、空調空間に配置された複数の空調機器を記憶する空調機器記憶手段と、空調機器の予定運転時間及び運転範囲の少なくとも一方を記憶する運転情報記憶手段と、前記運転情報記憶手段に記憶された空調機器の予定運転時間及び運転範囲の少なくとも一方に基づいて、前記空調機器記憶手段に記憶された複数の空調機器のそれぞれ又はその組合せについての快適度を算出する第１快適度算出手段と、前記第１快適度算出手段で算出された複数の快適度のうち最も高い快適度と、その快適度に対応した空調機器とを表示画面に表示する表示手段とを備えることを特徴とする。
【００１８】
第１０の発明にかかる快適度表示プログラムでは、空調機器の快適度を表示する快適度表示プログラムであって、コンピュータを、空調機器の予定運転時間及び運転範囲の少なくとも一方に基づいて、複数の空調機器のそれぞれ又はその組合せについての快適度を算出する第１快適度算出手段と、前記第１快適度算出手段で算出された快適度のうち最も高い快適度と、その快適度に対応した空調機器とについての情報を端末装置に供給する情報供給手段として機能させることを特徴とする。
【００１９】
この快適度表示システム及び快適度表示プログラムでは、空調機器の予定運転時間及び運転範囲の少なくとも一方に基づいて、複数の空調機器のそれぞれ又はその組合せについての快適度が算出されるとともに、算出された複数の快適度のうち最も高い快適度とその快適度に対応した空調機器とが表示画面に表示されるので、最も快適度が高い空調機器をユーザが容易に把握できる。
【００２０】
第７の発明にかかる快適度表示システムは、第６の発明にかかる快適度表示システムにおいて、前記運転情報記憶手段は、空調機器の予定運転時間を記憶しており、前記運転情報記憶手段に記憶された予定運転時間の開始の所定時間に基づいて、前記空調機器記憶手段に記憶された複数の空調機器のそれぞれ又はその組合せについての前記所定時間における快適度を算出する第２快適度算出手段を備え、前記表示手段は、前記第１快適度算出手段で算出された複数の快適度のうち最も高い快適度及びその快適度に対応した空調機器と、前記第２快適度算出手段で算出された複数の快適度のうち最も高い快適度及びその快適度に対応した空調機器とを前記表示画面に表示することを特徴とする。
【００２１】
この快適度表示システムでは、空調機器の予定運転時間及び運転範囲の少なくとも一方に基づいて算出された複数の快適度のうち最も高い快適度及びその快適度に対応した空調機器と、予定運転時間の開始の所定時間に基づいて算出された複数の快適度のうち最も高い快適度及びその快適度に対応した空調機器とが表示画面に表示されるので、予定運転時間の開始の所定時刻において、複数の空調機器を併用して運転する場合に、最も快適度が高い空調機器をユーザが容易に把握できる。
【００２２】
第８の発明にかかる快適度表示システムは、第６または第７の発明にかかる快適度表示システムにおいて、前記表示手段は、前記快適度算出手段で算出された複数の快適度と、その複数の快適度にそれぞれ対応した空調機器とを前記表示画面に表示することを特徴とする。
【００２３】
この快適度表示システムでは、算出された複数の快適度とその複数の快適度にそれぞれ対応した空調機器とが表示されるので、複数の空調機器のそれぞれ又はその組合せについての快適度を把握できる。
【００２４】
第９の発明にかかる快適度表示システムは、第８の発明にかかる快適度表示システムにおいて、前記表示手段は、前記快適度算出手段で算出された快適度が高い順に快適度とその快適度に対応した空調機器とを前記表示画面に表示することを特徴とする。
【００２５】
この快適度表示システムでは、快適度が高い順に快適度とその快適度に対応した空調機器とが表示されるので、快適度が高い空調機器をユーザが把握しやすい。
【発明の効果】
【００２６】
以上の説明に述べたように、本発明によれば、以下の効果が得られる。
【００２７】
第１及び第５の発明では、空調機器の予定運転時間及び運転範囲の少なくとも一方に基づいて、複数の空調機器のそれぞれ又はその組合せについての予想光熱費が算出されるとともに、算出された複数の予想光熱費のうち最も低い予想光熱費とその予想光熱費に対応した空調機器とが表示画面に表示されるので、最も省エネ性が高い空調機器をユーザが容易に把握できる。
【００２８】
第２の発明では、空調機器の予定運転時間及び運転範囲の少なくとも一方に基づいて算出された複数の予想光熱費のうち最も低い予想光熱費及びその予想光熱費に対応した空調機器と、予定運転時間の開始の所定時間に基づいて算出された複数の予想光熱費のうち最も低い予想光熱費及びその予想光熱費に対応した空調機器とが表示画面に表示されるので、予定運転時間の開始の所定時間において、複数の空調機器を併用して運転する場合に、最も省エネ性が高い空調機器をユーザが容易に把握できる。
【００２９】
第３の発明では、算出された複数の予想光熱費とその複数の予想光熱費にそれぞれ対応した空調機器とが表示されるので、複数の空調機器のそれぞれ又はその組合せについての予想光熱費を把握できる。
【００３０】
第４の発明では、予想光熱費が低い順に予想光熱費とその予想光熱費に対応した空調機器とが表示されるので、予想光熱費が低い空調機器をユーザが把握しやすい。
【００３１】
第６及び第１０の発明では、空調機器の予定運転時間及び運転範囲の少なくとも一方に基づいて、複数の空調機器のそれぞれ又はその組合せについての快適度が算出されるとともに、算出された複数の快適度のうち最も高い快適度とその快適度に対応した空調機器とが表示画面に表示されるので、最も快適度が高い空調機器をユーザが容易に把握できる。
【００３２】
第７の発明では、空調機器の予定運転時間及び運転範囲の少なくとも一方に基づいて算出された複数の快適度のうち最も高い快適度及びその快適度に対応した空調機器と、予定運転時間の開始の所定時間に基づいて算出された複数の快適度のうち最も高い快適度及びその快適度に対応した空調機器とが表示画面に表示されるので、予定運転時間の開始の所定時刻において、複数の空調機器を併用して運転する場合に、最も快適度が高い空調機器をユーザが容易に把握できる。
【００３３】
第８の発明では、算出された複数の快適度とその複数の快適度にそれぞれ対応した空調機器とが表示されるので、複数の空調機器のそれぞれ又はその組合せについての快適度を把握できる。
【００３４】
第９の発明では、快適度が高い順に快適度とその快適度に対応した空調機器とが表示されるので、快適度が高い空調機器をユーザが把握しやすい。
【図面の簡単な説明】
【００３５】
【図１】本発明の実施形態に係る空調情報表示システムを示す図である。
【図２】空調空間に配置された複数の空調機器の一覧を示す図である。
【図３】サーバに記憶された空調機器の情報データベースを示す図である。
【図４】快適度の算出方法を説明する説明図である。
【図５】快適度の算出方法を説明する説明図である。
【図６】空調情報を表示する操作を説明する説明図である。
【図７】空調情報が表示された表示画面を示す図である。
【図８】空調情報表示システムの動作を示すフローチャートである。
【図９】空調情報が表示された表示画面の第１変形例を示す図である。
【図１０】空調情報が表示された表示画面の第２変形例を示す図である。
【発明を実施するための形態】
【００３６】
以下、図面を参照しつつ本発明に係る表示システム１（予想光熱費表示システム、快適度表示システム）の実施の形態について説明する。
【００３７】
［表示システム１の全体構成］
本実施形態の表示システム１は、空調空間に配置される複数の空調機器のそれぞれ又はその組合せについての予想光熱費及び快適度を算出して、最も低い予想光熱費とそれに対応した空調機器、及び最も高い快適度とそれに対応した空調機器とを表示画面に表示する表示システムである。例えば、暖房運転について例にとると、空調空間に複数の暖房機器（例えば、エアコン、ファンヒータ、電気ストーブ、ホットカーペット、コタツ）が配置されている場合において、それら暖房機器のそれぞれ又はその組合せについての予想光熱費及び快適度を算出して、どの暖房機器又はその組合せが最も光熱費が低いか又は最も快適度が高いかを表示する。この表示システム１は、図１に示すように、端末装置２と、端末装置２との間で情報の通信を行うサーバ３とを有している。
【００３８】
（端末装置２）
端末装置２は、例えばスマートフォンなどの液晶端末であって、表示画面１０と制御部２０とを有している。この制御部２０は、演算処理装置であるＣＰＵ（Central Processing Unit）と、ＣＰＵが実行する制御プログラム及び制御プログラムに使用されるデータが記憶されているＲＯＭ（Read Only Memory）と、プログラム実行時にデータを一時記憶するためのＲＡＭ（Random Access Memory）とを有している。この制御プログラムは、例えばネットワークなどの通信手段を利用して端末装置２にダウンロードされたものである。この制御プログラムが実行されることによって、端末装置２に記憶部２２、操作検知部２５、表示部２６、通信部２７などの機能を発揮させることが可能である。代替的には、この制御プログラムは、ＣＤ又はＤＶＤなどの記録媒体からインストールされたものであってもよい。
【００３９】
記憶部２２は、空調機器記憶部２３（空調機器記憶手段）と、運転情報記憶部２４（運転情報記憶手段）とを有している。空調機器記憶部２３は、複数の空調機器をその空調機器が配置される空調空間とともに記憶する。本実施形態では、図２に示すように、エアコン（空気調和機）、ファンヒータ、電気ストーブ、ホットカーペット、コタツなどがリビングに配置され、エアコン、ホットカーペット、空気清浄機が寝室に配置されていることが空調機器記憶部２３に記憶されている。これら空調機器は、例えばユーザが所有する空調機器である。ユーザが表示画面１０を操作するなどして空調機器の情報を入力することにより、空調機器の情報が空調機器記憶部２３に記憶される。空調機器の情報としては、その空調機器が配置される空調空間の他、その空調機器のカテゴリー（暖房機器、冷房機器、除湿機器等）、機種名などがある。なお、本発明において、空調機器とは、例えば暖房機器、冷房機器、除湿機器、加湿機器、空気清浄機器等の空気調和を行う機器の総称である。暖房機器としては、例えばエアコン、ファンヒータ、電気ストーブ、ホットカーペット、コタツ、ガスストーブがある。冷房機器としては、例えばエアコン、扇風機がある。
【００４０】
運転情報記憶部２４は、空調される空調空間、運転目的、予想光熱費及び快適度を算出する際に使用する予定運転時間及び運転範囲についての情報を記憶する。ユーザが表示画面１０に表示される複数の選択肢から所定の選択肢を選択することにより、これらの運転情報が運転情報記憶部２４に記憶される。
【００４１】
また、この記憶部２２は、サーバ３の通信部３５から供給された複数の空調機器のそれぞれ又はその組合せについての予想光熱費及び快適度と、その予想光熱費及び快適度に対応した空調機器とについての情報を記憶する。
【００４２】
操作検知部２５は、ユーザが表示画面１０に触れて、表示画面１０に表示された空調機器の運転操作を行った場合に、その操作を検知する。操作検知部２５によって検知された操作についての情報は記憶部２２に記憶された後、通信部２７を介して端末装置２と情報通信可能な空調機器に供給される。
【００４３】
表示部２６は、サーバ３の通信部３５から供給された複数の空調機器のそれぞれ又はその組合せについての予想光熱費及び快適度と、その予想光熱費及び快適度に対応した空調機器とを全て表示画面１０に表示する。したがって、この表示部２６は、複数の予想光熱費のうち最も低い予想光熱費とその予想光熱費に対応した空調機器を表示画面１０に表示する。また、複数の快適度のうち最も高い快適度とその快適度に対応した空調機器を表示画面１０に表示する。なお、この表示部２６は、快適度が高い順に表示画面１０に表示する。
【００４４】
通信部２７は、端末装置２からサーバ３に対して情報を供給するとともに、サーバ３やネットワーク（インターネット）から供給された情報を受けることができる。この通信部２７は、例えば無線LAN、ZigBee、bluetooth、光通信などであってよい。この通信部２７は、例えば空調機器記憶部２３に記憶された複数の空調機器、機種名、その空調機器が配置される空調空間、及びその空調機器のカテゴリーについての情報をサーバ３に供給する。また、この通信部２７は、運転情報記憶部２４に記憶された空調される空調空間、運転目的、予定運転時間、及び運転範囲についての情報をサーバ３に供給する。また、この通信部２７は、サーバ３の通信部３５から複数の空調機器のそれぞれ又はその組合せについての予想光熱費及び快適度と、その予想光熱費及び快適度に対応した空調機器とについての情報を受信する。
【００４５】
（サーバ３）
サーバ３は、サーバ制御部３０を有している。このサーバ制御部３０は、演算処理装置であるＣＰＵ（Central Processing Unit）と、ＣＰＵが実行する制御プログラム及び制御プログラムに使用されるデータが記憶されているＲＯＭ（Read Only Memory）と、プログラム実行時にデータを一時記憶するためのＲＡＭ（Random Access Memory）とを有している。この制御プログラムは、例えばネットワークなどの通信手段を利用してサーバ３にダウンロードされたものである。この制御プログラムが実行されることによって、サーバ３に記憶部３１、空調機器選択部３２、予想光熱費算出部３３（第１予想光熱費算出手段）、快適度算出部３４（第１快適度算出手段）、通信部３５（情報供給手段）などの機能を発揮させることが可能である。代替的には、この制御プログラムは、ＣＤ又はＤＶＤなどの記録媒体からインストールされたものであってもよい。
【００４６】
記憶部３１は、空調機器と、その空調機器ごとの使用エネルギや能力等についての情報が記憶された情報データベースを記憶する。この情報データベースには、図３に示すように、空調機器、機種名、立上げ時（立上げから１５分以内）及び安定時（立上げから１５分を超えた後）の使用エネルギ、即効性、持続性、効果が高い空調空間の大きさの上限などについての情報が記憶されている。図３に示す情報データベースでは、例えばエアコンについて３機種の情報が記憶されているが、実際の情報データベースには、各社各機種の多数のエアコンについての情報が記憶されている。
【００４７】
ここで、使用エネルギとは、例えばエアコンなど電気のみを使用する空調機器の場合、使用電力（ｋｗ）を意味し、例えば空気調和機の仕様書などに記載された消費電力に対応する。また、例えばファンヒータや、電気ストーブなど電気と灯油を使用する空調機器の場合、使用電力（ｋｗ）と単位時間当たりの使用灯油量（Ｌ）を意味する。また、例えばガスストーブなどガスを使用する空調機器の場合、使用ガス（ｍ３）を意味する。即効性とは、例えば空調空間が目標の空調状態に到達するまでの時間的な速さを評価したものであり、持続性とは、例えば空調空間が目標の空調状態に到達してからその状態の持続性を評価したものである。この情報データベースに記憶される各種情報は、例えばネットワーク上のデータベース（各空調機器を販売する企業のホームページなど）から自動的に取得されるものであってもよいし、ユーザが入力するものであってもよい。
【００４８】
また、この記憶部３１は、端末装置２の通信部２７から供給された複数の空調機器、機種名、その空調機器が配置される空調空間、及びその空調機器のカテゴリーについての情報を記憶するとともに、同じく端末装置２の通信部２７から供給された空調される空調空間、運転目的、予定運転時間、及び運転範囲についての情報を記憶する。
【００４９】
空調機器選択部３２は、空調される空調空間及び運転目的についての情報に基づいて、複数の空調機器から予想光熱費及び快適度を算出する空調機器を選択する。例えば、空調される空調空間がリビングであって、運転目的が暖房運転である場合、図２に示す複数の空調機器から、「リビング」、「暖房」に該当する空調機器、すなわちエアコン、ファンヒータ、電気ストーブ、ホットカーペット、及びコタツ（全て機種名Ａ）を選択する。
【００５０】
予想光熱費算出部３３（第１予想光熱費算出手段）は、予定運転時間及び情報データベースの使用エネルギについての情報に基づいて、空調機器選択部３２で選択された複数の空調機器のそれぞれ又はその組合せについての予想光熱費を算出する。具体的には、空調機器選択部３２で選択された複数の空調機器のそれぞれについての予想光熱費を算出するとともに、エアコンと他の空調機器１つとの組合せについての予想光熱費を算出する。例えば、空調機器選択部３２で選択された空調機器がエアコン、ファンヒータ、電気ストーブ、ホットカーペット、及びコタツ（全て機種名Ａ）である場合、以下の９通りの予想光熱費を算出する。すなわち、エアコン、ファンヒータ、電気ストーブ、ホットカーペット、コタツ、エアコン及びファンヒータ、エアコン及び電気ストーブ、エアコン及びホットカーペット、エアコン及びコタツのそれぞれについての予想光熱費を算出する。
【００５１】
この予想光熱費算出部３３では、予定運転時間と、情報データベースの使用エネルギと、登録された１時間あたりの光熱費単価（例えば、電力料金単価２２円／ｋＷｈ、ガス料金単価１５０円／ｍ３、灯油単価７０円／Ｌ）とから、予想光熱費が算出される。電力会社、ガス会社との契約プランによって時間で電力料金単価、又はガス料金単価が変動する場合は、時間帯ごとの電力料金単価、又はガス料金単価を登録、または契約プランを登録しておけば、時間帯ごとの単価で予想光熱費が算出される。
【００５２】
例えば、エアコン（機種名Ａ）による暖房運転がＴ分行われる場合の予想電気代Ｍ（円）は、Ｔ≦１５の場合には、立上げ時の使用電力エネルギと電力料金単価とを用いて下記（式１）により算出される。また、Ｔ＞１５の場合には、立上げ時の使用電力エネルギと安定時の使用電力エネルギと電力料金単価とを用いて下記（式２）により算出される。但し、立上げ時の使用電力エネルギをＸ（ｋｗ）、安定時の使用電力エネルギをＹ（ｋｗ）、電力料金単価Ｅ（円／ｋＷｈ）とする。なお、エアコンと他の空調機器１つとの組合せについての予想光熱費を算出する場合、エアコンの予想光熱費と他の空調機器１つの予想光熱費をそれぞれ別に算出し、それらを足し合わせることで組合せの予想光熱費を算出する。
2015014384.tif 000003
・・・（式１）
2015014384.tif 000004
・・・（式２）
【００５３】
快適度算出部３４（第１快適度算出手段）は、予定運転時間及び運転範囲についての情報と、情報データベースの即効性、持続性、及び効果が高い空調空間の大きさの上限についての情報とに基づいて、空調機器選択部３２で選択された複数の空調機器のそれぞれ又はその組合せについての快適度を算出する。具体的には、空調機器選択部３２で選択された複数の空調機器のそれぞれについての快適度を算出するとともに、エアコンと他の空調機器１つとの組合せについての快適度を算出する。例えば、空調機器選択部３２で選択された空調機器がエアコン、ファンヒータ、電気ストーブ、ホットカーペット、及びコタツ（全て機種名Ａ）である場合、以下の９通りの快適度を算出する。すなわち、エアコン、ファンヒータ、電気ストーブ、ホットカーペット、コタツ、エアコン及びファンヒータ、エアコン及び電気ストーブ、エアコン及びホットカーペット、エアコン及びコタツのそれぞれについて快適度を算出する。
【００５４】
この快適度算出部３４では、予定運転時間と移行時間（立上げ時から安定時に移行する時間）とを比べることによって空調機器の快適度を評価する。なお、移行時間は、適宜定められるものであって例えば１５分である。図４（ａ）は、予定運転時間が例えば１５分よりも長いか否かによってエアコン、ファンヒータ、電気ストーブ、ホットカーペット、及びコタツ（全て機種名Ａ）の快適度を評価した図である。快適度の評価は、ポイント制であり、◎は２Ｐ（ポイント）、〇は１Ｐ、△は０Ｐである。この快適度の評価は、情報データベースの即効性及び持続性についての情報に基づいている。例えばエアコン（機種名Ａ）を例にとって説明すると、エアコン（機種名Ａ）は、図３に示すように、即効性が悪く（評価△）、持続性が良い（評価◎）。そのため、図４（ａ）に示すように、予定運転時間が１５分以内の場合、すなわち快適度に即効性が大きく影響する場合には、評価が低くなって（評価△）、快適度が０Ｐとなる。一方、予定運転時間が１５分を超える場合、すなわち快適度に持続性が大きく影響する場合には、評価が高くなって（評価◎）、快適度が２Ｐとなる。
【００５５】
また、この快適度算出部３４では、運転範囲が狭いか広いかによって空調機器の快適度を評価する。図４（ｂ）は、運転範囲がスポット（狭域）か部屋全体（広い範囲）かによってエアコン、ファンヒータ、電気ストーブ、ホットカーペット、及びコタツ（全て機種名Ａ）の快適度を評価した図である。快適度の評価は、ポイント制であり、◎は２Ｐ、〇は１Ｐ、△は０Ｐである。この快適度の評価は、情報データベースの即効性、持続性、効果が高い空調空間の大きさの上限についての情報に基づいている。例えばエアコン（機種名Ａ）を例にとって説明すると、エアコン（機種名Ａ）は、即効性が悪いが（評価△）、持続性が良く（評価◎）、効果が高い空調空間の大きさの上限も広い。そのため、図４（ｂ）に示すように、運転範囲がスポット（狭域）の場合には、評価が普通であり（評価○）、快適度が１Ｐである。一方、運転範囲が部屋全体（広域）の場合には、持続性が良く且つ効果が高い空調空間の大きさの上限が広いので、評価が高くなって（評価◎）、快適度が２Ｐとなる。
【００５６】
そして、この快適度算出部３４は、予定運転時間に基づいた評価結果と、運転範囲に基づいた評価結果とを足し合わせることで、空調機器のそれぞれの快適度を算出する。例えば、予定運転時間が１時間（１５分を超える）であって、運転範囲が部屋全体である場合、図５に示すように、エアコン及びファンヒータの快適度が４Ｐ、ホットカーペットの快適度が２Ｐ、コタツの快適度が１Ｐ、電気ストーブの快適度が０Ｐである。図５は、予定運転時間に基づいた評価結果と、運転範囲に基づいた評価結果とを足し合わせた快適度の早見表である。
【００５７】
また、この快適度算出部３４は、エアコンと他の空調機器１つとの組合せについての快適度を下記（式３）により算出する。例えば、予定運転時間が１時間（１５分を超える）であって運転範囲が部屋全体である場合、エアコン及びファンヒータの快適度は、エアコンの快適度（４Ｐ）とファンヒータの快適度の半分（２Ｐ）を足し合わせたものであり、６Ｐである。
（エアコンと他の空調機器１つとの組合せの快適度）＝（エアコンの快適度）＋１／２×（他の空調機器の快適度）・・・（式３）
【００５８】
通信部３５は、サーバ３から端末装置２に対して情報を供給するとともに、端末装置２やネットワーク（インターネット）から供給された情報を受けることができる。この通信部３５は、例えば無線LAN、ZigBee、bluetooth、光通信などであってよい。
【００５９】
［表示画面１０に表示される表示内容］
次に、端末装置２の表示画面１０に表示される表示内容について、図６及び図７を参照しつつ説明する。
【００６０】
図６（ａ）に示すように、端末装置２にダウンロードされた制御プログラムが実行されると、空調する空調空間を選択する空調空間選択部１１と、運転目的を選択する運転目的選択部１２と、タイマのＯＮ／ＯＦＦを選択するタイマ選択部１３とが表示画面１０に表示される。ユーザが空調空間選択部１１を選択すると、図示は省略するが表示画面１０に空調空間を選択する画面が表示される。そして、ユーザが表示画面１０に表示された複数の空調空間から空調する空調空間を選択すると、選択した空調空間が表示画面１０に表示される。図６（ａ）では、ユーザが複数の空調空間（例えばリビング、寝室）からリビングを選択した例を示している。
【００６１】
運転目的選択部１２には、複数の運転目的にそれぞれ対応したアイコンが表示されている。ユーザがこれらアイコンから所望の運転目的に対応したアイコンを選択すると、図６（ｂ）に示すように、表示画面１０が予定運転時間選択画面に切り換わる。図６（ａ）では、ユーザが暖房運転を選択した例を示している。なお、運転目的選択部１２のうち「自動」と表示されたアイコンが選択されると、端末装置２の通信部２７がネットワークなどから受信した天気情報、外気温湿度情報、室内温湿度情報などに基づいて、制御部２０が自動で運転目的を決定する。
【００６２】
タイマ選択部１３では、タイマのＯＮ／ＯＦＦの選択が可能である。タイマがＯＮに設定されると、予定運転時間選択部１４で選択された予定運転時間経過時に、端末装置２と情報通信可能な空調機器の運転が停止される。タイマがＯＦＦに設定される場合には、予定運転時間経過後も空調機器の運転が継続する。
【００６３】
予定運転時間選択部１４では、予定運転時間を選択することが可能である。ユーザが予定運転時間選択部１４に表示された複数の時間から予定運転時間を選択して、表示画面１０の右上の「次へ」を選択すると、図６（ｃ）に示すように、表示画面１０が運転範囲選択画面１５に切り換わる。図６（ｂ）では、ユーザが表示画面１０に表示された複数の予定運転時間から１時間を選択した例を示している。なお、図６（ｂ）において、表示画面１０を下にスクロールすると、図示は省略するが３時間を超えた予定運転時間が表示される（例えば、４時間、５時間、１０時間）。したがって、ユーザは、３時間を超えた予定運転時間を選択できるようになっている。なお、本実施形態では、ユーザが予定運転時間選択部１４で予定運転時間を選択することとしたが、ユーザが所望の予定運転時間を入力できるようになっていてもよい。
【００６４】
運転範囲選択画面１５では、ユーザが希望する空調機器の運転範囲を選択可能である。図６（ｃ）では、運転範囲としてスポットと部屋全体が表示され、ユーザが部屋全体を選択した例を示している。例えば、暖房運転において、局所的な範囲のみ暖めたい場合にはスポットを選択し、部屋全体を暖めたい場合には部屋全体を選択する。ユーザが空調機器の運転範囲を選択して、表示画面１０の右上の「次へ」を選択すると、予想光熱費算出部３３及び快適度算出部３４で、空調機器選択部３２で選択された空調機器のそれぞれ又はその組合せについての予想光熱費及び快適度が算出される。
【００６５】
運転範囲選択画面１５で運転範囲が選択されると、図７（ａ）、（ｂ）に示すように、快適度、予想光熱費などの空調情報が表示された空調情報表示部１６と、運転開始を選択する運転開始選択部１７とが表示画面１０に表示される。
【００６６】
空調情報表示部１６には、予想光熱費算出部３３で算出された予想光熱費と、快適度算出部３４で算出された快適度と、その予想光熱費及び快適度に対応した空調機器と、その機種名とが表示されている。快適度は、例えばハートマークの数で表示され、ハートマークの１つが黒塗りされている場合は１Ｐ、ハートマークの半分が黒塗りされている場合は０．５Ｐ、ハートマークが白抜きの場合は０Ｐを示す。したがって、全て（６個）のハートマークが黒塗りの場合、快適度は６Ｐである。
【００６７】
図７（ａ）、（ｂ）では、合計９つの空調情報表示部１６が表示されている。すなわち、以下の９通り、エアコン、ファンヒータ、電気ストーブ、ホットカーペット、コタツ、エアコン及びファンヒータ、エアコン及び電気ストーブ、エアコン及びホットカーペット、エアコン及びコタツのそれぞれについての予想光熱費及び快適度と、その予想光熱費及び快適度に対応した空調機器と、その機種名とが表示されている。なお、表示画面１０の大きさの制約上、空調情報表示部１６は最大５つまでしか表示されないので、残りの４つは、ユーザが表示画面１０に触れて下にスクロールすることによって表示される（図７（ａ）に示す画面を下にスクロールすると図７（ｂ）に示す画面となる）。
【００６８】
９つの空調情報表示部１６のうち、最も高い快適度が表示された空調情報表示部１６が図７（ａ）に示す空調情報表示部１６ａであり、最も低い予想光熱費が表示された空調情報表示部１６が図７（ｂ）に示す空調情報表示部１６ｂである。最も高い快適度は６Ｐであり、その快適度に対応した空調機器はエアコンとファンヒータの組合せである。最も低い予想光熱費は４円であり、その予想光熱費に対応した空調機器はコタツである。なお、最も高い快適度が表示された空調情報表示部１６ａと、最も低い予想光熱費が表示された空調情報表示部１６ｂとは互いに異なる画面に表示されるが、これは単に表示画面１０の大きさの制約の問題であるので、同じ表示画面に表示されているものとする。したがって、ユーザは最も省エネ性が高い空調機器と最も快適度が高い空調機器を同時に把握できる。また、９つの空調情報表示部１６は、快適度が高い順に表示されている。例えば、図７（ａ）、（ｂ）では、快適度が高い順に上から表示されている。したがって、ユーザは快適度が高い空調機器を容易に把握できる。
【００６９】
空調情報表示部１６のそれぞれには、運転する空調機器を選択する運転選択部１８（□のマーク）が設けられている。図７（ａ）に示すように、ユーザが空調情報表示部１６をタッチすると、運転選択部１８の□のマーク内に選択されたことを示す「レ」マークが表示され、運転する空調機器が選択される。例えば、図７（ａ）では、エアコンとホットカーペットが選択されている。そして、運転する空調機器を選択した状態で、ユーザが運転開始選択部１７を選択すると、運転する空調機器（図７（ａ）では、エアコンとホットカーペット）が端末装置２と情報通信可能である場合、運転する空調機器の運転が開始される。
【００７０】
［表示システム１の動作］
次に、表示システム１の動作について、図８を参照しつつ説明する。
【００７１】
空調空間選択部１１で空調する空調空間が選択されると、運転情報記憶部２４に空調する空調空間が記憶される（Ｓ１）。また、運転目的選択部１２で運転目的が選択されると、運転情報記憶部２４に運転目的が記憶される（Ｓ２）。また、予定運転時間選択部１４で予定運転時刻が選択されると、運転情報記憶部２４に予定運転時刻が記憶される（Ｓ３）。また、運転範囲選択画面１５で運転範囲が選択されると、運転情報記憶部２４に運転範囲が記憶される（Ｓ４）。
【００７２】
次に、空調機器選択部３２が、空調する空調空間及び運転目的に基づいて複数の空調機器から予想光熱費及び快適度を算出する空調機器を選択する（Ｓ５）。本実施形態では、図６（ａ）に示すように、空調する空調空間として「リビング」が選択されており、運転目的として「暖房運転」が選択されているので、図２に示す複数の空調機器から「リビング」、「暖房」に該当する空調機器、すなわちエアコン、ファンヒータ、電気ストーブ、ホットカーペット、及びコタツ（全て機種名Ａ）が選択される。
【００７３】
次に、予想光熱費算出部３３が、予定運転時間及び情報データベースの使用エネルギについての情報に基づいて、空調機器選択部３２で選択された複数の空調機器のそれぞれ又はその組合せについての予想光熱費を算出する（Ｓ６）。本実施形態では、以下の９通り、すなわち、エアコン、ファンヒータ、電気ストーブ、ホットカーペット、コタツ、エアコン及びファンヒータ、エアコン及び電気ストーブ、エアコン及びホットカーペット、エアコン及びコタツのそれぞれについて予想光熱費が算出される。
【００７４】
次に、快適度算出部３４が、予定運転時間及び運転範囲についての情報と、情報データベースの即効性、持続性、及び効果が高い空調空間の大きさの上限についての情報とに基づいて、空調機器選択部３２で選択された複数の空調機器のそれぞれ又はその組合せについての快適度を算出する（Ｓ７）。本実施形態では、以下の９通り、すなわち、エアコン、ファンヒータ、電気ストーブ、ホットカーペット、コタツ、エアコン及びファンヒータ、エアコン及び電気ストーブ、エアコン及びホットカーペット、エアコン及びコタツのそれぞれについて予想光熱費が算出される。
【００７５】
次に、表示部２６が、予想光熱費算出部３３及び快適度算出部３４で算出された複数の予想光熱費及び快適度と、その予想光熱費及び快適度に対応した空調機器とを全てを快適度が高い順に表示画面１０に表示する（Ｓ８）。本実施形態では、図７（ａ）、（ｂ）に示すように、上記の９通りの予想光熱費及び快適度と、その予想光熱費及び快適度に対応した空調機器との全てを表示画面１０に表示する。
【００７６】
＜本実施形態の表示システムの特徴＞
本実施形態の表示システム１には、以下の特徴がある。
【００７７】
本実施形態の表示システム１では、予想光熱費算出部３３で、空調機器の予定運転時間に基づいて、空調機器選択部３２で選択された複数の空調機器のそれぞれ又はその組合せについての予想光熱費が算出されるとともに、算出された複数の予想光熱費のうち最も低い予想光熱費とその予想光熱費に対応した空調機器とが表示画面１０に表示されるので、最も省エネ性が高い空調機器をユーザが容易に把握できる。
【００７８】
また、本実施形態の表示システム１では、予想光熱費算出部３３で、算出された全ての予想光熱費とその全ての予想光熱費にそれぞれ対応した空調機器とが表示されるので、空調機器選択部３２で選択された複数の空調機器のそれぞれ又はその組合せについての全ての予想光熱費を把握できる。
【００７９】
また、本実施形態の表示システム１では、快適度算出部３４で、空調機器の予定運転時間及び運転範囲に基づいて、空調機器選択部３２で選択された複数の空調機器のそれぞれ又はその組合せについての快適度が算出されるとともに、算出された複数の快適度のうち最も高い快適度とその快適度に対応した空調機器とが表示画面１０に表示されるので、最も快適度が高い空調機器をユーザが容易に把握できる。
【００８０】
また、本実施形態の表示システム１では、快適度算出部３４で、算出された全ての快適度とその全ての快適度にそれぞれ対応した空調機器とが表示されるので、空調機器選択部３２で選択された複数の空調機器のそれぞれ又はその組合せについての全ての快適度を把握できる。
【００８１】
また、本実施形態の表示システム１では、快適度が高い順に快適度とその快適度に対応した空調機器とが表示されるので、快適度が高い空調機器をユーザが把握しやすい。
【００８２】
［第１変形例］
次に、図９を参照して本発明の第１変形例について説明する。第１変形例に係る表示システムは、表示部（表示手段）が、予想光熱費が低い順に予想光熱費及び快適度とその予想光熱費及び快適度に対応した空調機器を表示する点で、上記実施形態と異なりその他の点で上記実施形態と同じである。なお、第１変形例の表示システムのうち上記実施形態の表示システム１と同様の構成を有するものについては、同じ符号を用いてその説明を省略する。
【００８３】
図９（ａ）、（ｂ）に示すように、９つの空調情報表示部１６は、予想光熱費が低い順に表示されている。例えば、図９（ａ）、（ｂ）では、予想光熱費が低い順に上から表示されている。したがって、最も低い予想光熱費（４円）とその予想光熱費に対応した空調機器（コタツ）が表示された空調情報表示部１６ｃが表示画面１０の最も上に表示される。
【００８４】
＜第１変形例の表示システムの特徴＞
第１変形例の表示システムには、以下の特徴がある。
【００８５】
第１変形例の表示システムでは、予想光熱費が低い順に予想光熱費とその予想光熱費に対応した空調機器とが表示されるので、予想光熱費が低い空調機器をユーザが把握しやすい。
【００８６】
［第２変形例］
次に、図１０を参照して本発明の第２変形例について説明する。第２変形例に係る表示システムは、予想光熱費算出部、快適度算出部、及び表示部の機能が上記実施形態と異なりその他の点で上記実施形態と同じである。なお、第２変形例の表示システムのうち上記実施形態の表示システム１と同様の構成を有するものについては、同じ符号を用いてその説明を省略する。
【００８７】
第２変形例に係る予想光熱費算出部は、第１予想光熱費算出部（第１予想光熱費算出手段）と第２予想光熱費算出部（第２予想光熱費算出手段）とを有している。第１予想光熱費算出部（第１予想光熱費算出手段）は、上記実施形態の予想光熱費算出部３３と略同様の構成を有しているが、上記実施形態の予想光熱費算出部３３が、空調機器選択部３２で選択された複数の空調機器のそれぞれ又はその組合せについての予想光熱費を算出するのに対し、第２変形例に係る第１予想光熱費算出部は、空調機器選択部３２で選択された複数の空調機器の組合せについての予想光熱費を算出しない点で上記実施形態と異なる。したがって、空調機器選択部３２で選択された空調機器がエアコン、ファンヒータ、電気ストーブ、ホットカーペット、及びコタツ（全て機種名Ａ）である場合、第１予想光熱費算出部では、エアコン、ファンヒータ、電気ストーブ、ホットカーペット、コタツのそれぞれについての予想光熱費を算出する。
【００８８】
第２予想光熱費算出部（第２予想光熱費算出手段）は、予定運転時間の開始の所定時間に基づいて、空調機器選択部３２で選択された複数の空調機器のそれぞれについての当該所定時間における予想光熱費を算出する。この所定時間は予定運転時間よりも短い範囲内で適宜定められるものであるが、例えば上記した移行時間（立上げ時から安定時に移行する時間）よりも短く、例えば５分である。第２予想光熱費算出部では、予定運転時間の開始の所定時間と、情報データベースの使用エネルギと、登録された１時間あたりの光熱費単価（例えば、電力料金単価２２円／ｋＷｈ、ガス料金単価１５０円／ｍ３、灯油単価７０円／Ｌ）とから、所定時間における予想光熱費が算出される。
【００８９】
第２変形例に係る快適度算出部は、第１快適度算出部（第１快適度算出手段）と第２快適度算出部（第２快適度算出手段）とを有している。第１快適度算出部（第１快適度算出手段）は、上記実施形態の快適度算出部３４と略同様の構成を有しているが、上記実施形態の快適度算出部３４が、空調機器選択部３２で選択された複数の空調機器のそれぞれ又はその組合せについての予想光熱費を算出するのに対し、第２変形例に係る第１快適度算出部は、空調機器選択部３２で選択された複数の空調機器の組合せについての予想光熱費を算出しない点で上記実施形態と異なる。したがって、空調機器選択部３２で選択された空調機器がエアコン、ファンヒータ、電気ストーブ、ホットカーペット、及びコタツ（全て機種名Ａ）である場合、第１快適度算出部では、エアコン、ファンヒータ、電気ストーブ、ホットカーペット、コタツのそれぞれについての快適度を算出する。
【００９０】
第２快適度算出部（第２快適度算出手段）は、予定運転時間の開始の所定時間及び運転範囲に基づいて、空調機器選択部３２で選択された複数の空調機器のそれぞれについての当該所定時間における快適度を算出する。この所定時間は予定運転時間よりも短い範囲内で適宜定められるものであるが、例えば上記した移行時間（立上げ時から安定時に移行する時間）よりも短く、例えば５分である。
【００９１】
第２快適度算出部では、予定運転時間の開始の所定時間と移行時間（立上げ時から安定時に移行する時間）とを比べることによって空調機器の快適度を評価する。なお、移行時間は、適宜定められるものであって例えば１５分である。また、第２快適度算出部では、運転範囲が狭いか広いかによって空調機器の快適度を評価する。そして、第２快適度算出部は、予定運転時間の開始の所定時間に基づいた評価結果と、運転範囲に基づいた評価結果とを足し合わせることで、空調機器のそれぞれの快適度を算出する。例えば、予定運転時間の開始の所定時間が５分（１５分以内）であって、運転範囲が部屋全体である場合、所定時間におけるファンヒータの快適度が４Ｐ、エアコン、電気ストーブ、ホットカーペットの快適度が２Ｐ、コタツの快適度が１Ｐである。
【００９２】
第２変形例にかかる表示部（表示手段）は、図１０に示すように、第１予想光熱費算出部で算出された空調機器のそれぞれについての快適度のうち最も高い快適度と、その快適度に対応した空調機器とを表示画面１０の上方の第１表示部４１に表示する。図１０に示すように、最も高い快適度は、４Ｐであり、その快適度に対応した空調機器は、エアコン又はファンヒータである。また、この表示部は、図１０に示すように、第２予想光熱費算出部で算出された空調機器のそれぞれについての快適度のうち最も高い快適度と、その快適度に対応した空調機器とを表示画面１０の下方の第２表示部４２に表示する。図１０に示すように、最も高い快適度は、４Ｐであり、その快適度に対応した空調機器は、ファンヒータである。
【００９３】
＜第２変形例の表示システムの特徴＞
第２変形例の表示システムには、以下の特徴がある。
【００９４】
第２変形例の表示システムでは、空調機器の予定運転時間及び運転範囲の少なくとも一方に基づいて算出された快適度及びその快適度に対応した空調機器と、予定運転時間の開始の所定時間に基づいて算出された快適度及びその快適度に対応した空調機器とが表示画面１０に表示されるので、予定運転時間の開始の所定時刻において、複数の空調機器を併用して運転する場合に、最も快適度が高い空調機器をユーザが容易に把握できる。
【００９５】
また、第２変形例の表示システムでは、予定運転時間が移行時間（立上げ時から安定時に移行する時間）よりも長く、予定運転時間の開始の所定時間が移行時間（立上げ時から安定時に移行する時間）よりも短い場合において、空調機器の安定時（移行時間より後）に快適度が高い空調機器と、空調機器の立上げ時（移行時間前）に快適度が高い空調機器を同時にユーザが把握できる。
【００９６】
［第３変形例］
次に、本発明の第３変形例について説明する。第３変形例に係る表示システムは、表示部（表示手段）が、第１予想光熱費算出部で算出された空調機器のそれぞれについての予想光熱費のうち最も低い予想光熱費と、その予想光熱費に対応した空調機器とを表示画面１０に表示するとともに、第２予想光熱費算出部で算出された空調機器のそれぞれについての予想光熱費のうち最も低い予想光熱費と、その予想光熱費対応した空調機器とを表示画面１０に表示する点で第２変形例と異なり、その他の点で第２変形例と同じである。
【００９７】
＜第３変形例の表示システムの特徴＞
第３変形例の表示システムには、以下の特徴がある。
【００９８】
第３変形例の表示システムでは、空調機器の予定運転時間及び運転範囲の少なくとも一方に基づいて算出された予想光熱費及びその予想光熱費に対応した空調機器と、予定運転時間の開始の所定時間に基づいて算出された予想光熱費及びその予想光熱費に対応した空調機器とが表示画面１０に表示されるので、予定運転時間の開始の所定時刻において、複数の空調機器を併用して運転する場合に、最も予想光熱費が低い空調機器をユーザが容易に把握できる。
【００９９】
また、第３変形例の表示システムでは、予定運転時間が移行時間（立上げ時から安定時に移行する時間）よりも長く、予定運転時間の開始の所定時間が移行時間（立上げ時から安定時に移行する時間）よりも短い場合において、空調機器の安定時（移行時間より後）に予想光熱費が低い空調機器と、空調機器の立上げ時（移行時間前）に予想光熱費が低い空調機器を同時にユーザが把握できる。
【０１００】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１０１】
上記実施形態では、図７（ａ）、（ｂ）に示すように、予想光熱費及び快適度と、その予想光熱費及び快適度に対応した空調機器とが表示画面１０に表示されるが、予想光熱費及び快適度の一方が表示画面１０に表示されていればよい。したがって、予想光熱費算出部３３と快適度算出部３４の一方はなくてもよい。
【０１０２】
また、上記実施形態では、予想光熱費算出部３３で算出された全ての予想光熱費と、その全ての予想光熱費のそれぞれに対応する空調機器とが表示画面１０に表示されるが、予想光熱費算出部３３で算出された予想光熱費のいくつかと、そのいくつかの予想光熱費のそれぞれに対応する空調機器とが表示画面１０に表示されてもよい。したがって、例えば予想光熱費算出部３３で算出された予想光熱費が最も低い予想光熱費から順にいくつかの予想光熱費を選択し、そのいくつかの予想光熱費と、そのいくつかの予想光熱費に対応した空調機器とが表示画面１０に表示されてもよい。また、予想光熱費算出部３３で算出された予想光熱費のうち最も低い予想光熱費と、その予想光熱費に対応した空調機器のみが表示画面１０に表示されてもよい。
【０１０３】
また、上記実施形態では、快適度算出部３４で算出された全ての快適度と、その全ての快適度のそれぞれに対応する空調機器とが表示画面１０に表示されるが、快適度算出部３４で算出された快適度のいくつかと、そのいくつかの快適度のそれぞれに対応する空調機器とが表示画面１０に表示されてもよい。したがって、例えば快適度算出部３４で算出された快適度が最も高い快適度から順にいくつかの快適度を選択し、そのいくつかの快適度と、そのいくつかの快適度に対応した空調機器とが表示画面１０に表示されてもよい。また、快適度算出部３４で算出された快適度のうち最も高い快適度と、その快適度に対応した空調機器のみが表示画面１０に表示されてもよい。
【０１０４】
また、上記実施形態では、空調機器の予定運転時間に基づいて予想光熱費が算出されるが、空調機器の運転範囲に基づいて予想光熱費が算出されてもよい。例えば、運転範囲に基づいて使用エネルギが決まっており（具体的には、運転範囲が大きくなるにつれて使用エネルギが大きくなる）、その使用エネルギと光熱費単価とから単位時間当たりの予想光熱費が算出されてもよい。なお、空調機器の予定運転時間及び運転範囲に基づいて予想光熱費を算出してもよい。
【０１０５】
また、上記実施形態では、空調機器の予定運転時間及び運転範囲に基づいて快適度が算出されるが、空調機器の予定運転時間又は運転範囲に基づいて快適度が算出されてもよい。
【０１０６】
また、上記実施形態では、予想光熱費が低い順に予想光熱費とその予想光熱費に対応した空調機器とが表示画面１０に表示され、上記第１変形例では、快適度が高い順に快適度とその快適度に対応した空調機器とが表示画面１０に表示されるが、予想光熱費が低い順に又は快適度が高い順に表示しなくてもよい。
【０１０７】
また、上記実施形態で説明した予想光熱費の算出方法及び快適度の算出方法は一例であって、空調機器の予定運転時間及び運転範囲の少なくとも一方に基づいて予想光熱費又は快適度が算出されるのであれば、他の算出方法を選択してもよい。
【０１０８】
また、上記実施形態では、複数の空調機器の組合せとして、エアコンと他の空調機器１つとの組合せのみについて予想光熱費と快適度とが表示画面１０に表示されるが、複数の空調機器の組合せはこれに限られるものではない。したがって、複数の空調機器の組合せは、エアコンと他の複数の空調機器との組合せであってもよいし、エアコン以外の空調機器同士の組合せであってもよい。
【０１０９】
また、上記実施形態では、複数の空調機器のそれぞれについての予想光熱費と快適度、及び複数の空調機器の組合せについての予想光熱費と快適度が表示画面１０に表示されるが、複数の空調機器のそれぞれ又は複数の空調機器の組合せのいずれか一方についての予想光熱費と快適度が表示画面１０に表示されてもよい。
【０１１０】
また、上記実施形態では、最も高い快適度は１つであるが（エアコン及びファンヒータの組合せの６Ｐ）、第２変形例の図１０に示すように、最も高い快適度が複数あってもよい（エアコン又はファンヒータの４Ｐ）。また、上記実施形態では、最も低い予想光熱費は１つであるが（コタツの４円）、最も低い予想光熱費が複数あってもよい。
【０１１１】
また、上記第２及び第３変形例では、空調機器選択部３２で選択された複数の空調機器の組合せについての予想光熱費を算出しないが、算出してもよい。また、空調機器選択部３２で選択された複数の空調機器の組合せについての快適度を算出しないが、算出してもよい。
【０１１２】
また、上記第２変形例では、第１快適度算出部で算出された複数の快適度のうち、最も高い快適度とその快適度に対応した空調機器のみをそれぞれ表示画面１０に表示したが、複数の快適度とその複数の快適度にそれぞれ対応した空調機器を表示画面１０に表示してもよい。また、その場合において、快適度が高い順に快適度とその快適度に対応した空調機器を表示画面１０に表示してもよい。なお、第２快適度算出部についても同様である。
【０１１３】
また、上記第２変形例では、
【０１１４】
また、上記第３変形例では、第１予想光熱費算出部で算出された複数の予想光熱費のうち、最も低い予想光熱費とその予想光熱費に対応した空調機器のみを表示画面１０に表示したが、複数の予想光熱費とその複数の予想光熱費にそれぞれ対応した空調機器を表示画面１０に表示してもよい。また、その場合において、予想光熱費が低い順に予想光熱費とその予想光熱費に対応した空調機器を表示画面１０に表示してもよい。なお、第２予想光熱費算出部についても同様である。
【０１１５】
また、上記第２及び第３変形例では、第２予想光熱費算出部が予定運転時間の開始の所定時間に基づいて予想光熱費を算出しているが、予定運転時間の開始の所定時間及び運転範囲に基づいて予想光熱費を算出してもよい。したがって、「予定運転時間の開始の所定時間に基づいて予想光熱費を算出する」とは、予定運転時間の開始の所定時間及び運転範囲に基づいて予想光熱費を算出することを除外する意味ではない。
【０１１６】
また、上記第２及び第３変形例では、第２快適度算出部が予定運転時間の開始の所定時間及び運転範囲に基づいて予想光熱費を算出しているが、予定運転時間の開始の所定時間に基づいて予想光熱費を算出してもよい。したがって、「予定運転時間の開始の所定時間に基づいて快適度を算出する」とは、予定運転時間の開始の所定時間及び運転範囲に基づいて快適度を算出することを除外する意味ではない。
【０１１７】
また、上記実施形態の表示システム１は、端末装置２とサーバ３とからなるが、端末装置２のみからなってもよい。したがって、端末装置２が、予想光熱費を算出する予想光熱費算出手段と、快適度を算出する快適度算出手段を有していてもよい。なお、その場合において、端末装置２は、ネットワーク（インターネット）などにより情報データベースを取得できるものとする。また、表示システム１がサーバ３とサーバ３に接続された表示画面とからなってもよい。したがって、サーバ３が、空調空間に配置された複数の空調機器を記憶する空調機器記憶手段と、空調機器の予定運転時間及び運転範囲を記憶する運転情報記憶手段と、予想光熱費及び快適度とその予想光熱費及び快適度に対応した空調機器とを表示画面に表示する表示手段とを有していてもよい。
【産業上の利用可能性】
【０１１８】
本発明を利用すれば、最も省エネ性が高い空調機器を容易に把握できる。また、最も快適度が高い空調機器を容易に把握できる
【符号の説明】
【０１１９】
１  表示システム（予想光熱費表示システム、快適度表示システム）
２  端末装置
１０  表示画面
２３  空調機器記憶部（空調機器記憶手段）
２４  運転情報記憶部（運転情報記憶手段）
２７  表示部（表示手段）
３３  予想光熱費算出部（第１予想光熱費算出手段）
３４  快適度算出部（第１快適度算出手段）
３５  通信部（情報通信手段）
【図１】
2015014384.tif 000005
【図２】
2015014384.tif 000006
【図３】
2015014384.tif 000007
【図４】
2015014384.tif 000008
【図５】
2015014384.tif 000009
【図６】
2015014384.tif 000010
【図７】
2015014384.tif 000011
【図８】
2015014384.tif 000012
【図９】
2015014384.tif 000013
【図１０】
2015014384.tif 000014